(57)【特許請求の範囲】
【請求項１】
複数のバッファから同時に出力されるビットで１シンボルを構成する階層符号化形式の多値／高次変調が適用されたＰＯＮシステムでの伝送帯域を各ＯＮＵに割り当てる下り通信伝送帯域割り当て方法であって、
到着した下りフレームのヘッダ内の宛先情報から振り分け可能なビット位置の候補を確認し、
前記候補のうち前記下りフレームの振り分け先としたビット位置に対応する前記バッファの残量より前記下りフレームの量が大きいときに、前記下りフレームを待機用バッファに入力することを特徴とする下り通信伝送帯域割り当て方法。
【請求項２】
前記候補が複数ある場合に、振り分け可能なフレーム数が少ないビット位置を前記振り分け先とすることを特徴とする請求項１に記載の下り通信伝送帯域割り当て方法。
【請求項３】
前記待機用バッファ内に下りフレームが存在するときに、
到着した下りフレームと前記待機用バッファ内の下りフレームとの間で前記候補の数を比較し、前記候補の数が少ない下りフレームを他より優先させて振り分け先とした前記バッファに入力することを特徴とする請求項１又は２に記載の下り通信伝送帯域割り当て方法。
【請求項４】
前記待機用バッファ内に下りフレームが存在するときに、
到着した下りフレームと前記待機用バッファ内の下りフレームとの間で前記候補の数を比較し、前記候補の数が同じであれば、前記待機用バッファ内の下りフレームを到着した下りフレームより優先させて振り分け先とした前記バッファに入力することを特徴とする請求項１又は２に記載の下り通信伝送帯域割り当て方法。
【請求項５】
前記候補が複数ある場合に、
他より優先させて振り分ける前記下りフレームの量が振り分け先とした前記バッファの残量より多いとき、前記下りフレームを、振り分け先とした前記バッファと異なる他の前記バッファに入力する、前記待機用バッファに入力する、又は廃棄することを特徴とする請求項３又は４に記載の下り通信伝送帯域割り当て方法。
【請求項６】
伝送帯域の割り当ての公平性と割り当て処理の負荷量とを考慮して、前記下りフレームを、前記バッファに入力する、前記待機用バッファに入力する、あるいは廃棄するかを選択することを特徴とする請求項１から５のいずれかに記載の下り通信伝送帯域割り当て方法。
【発明の詳細な説明】
【技術分野】
【０００１】
ＰＯＮ（Ｐａｓｓｉｖｅ  Ｏｐｔｉｃａｌ  Ｎｅｔｗｏｒｋ）システムの下り通信へ階層符号化形式による多値／高次変調方式を適用したシステムにおいて階層間利用帯域の公平化を行う伝送帯域割り当て方法に関する。
【背景技術】
【０００２】
現在光アクセスネットワークとして普及しているＰＯＮシステムの下り信号伝送部（図１）において、符号化部分に多値／高次変調方式を適用し、高速化を実現するための研究開発が広く行われている。その中で、ＰＯＮシステムに多値／高次変調を適用する際の装置の低コスト化、パワーバジェットの向上等を目的とした、階層符号化形式（例えば、非特許文献１を参照。）による多値／高次変調ＰＯＮが提案されている。なお、本明細書では、「パワーバジェット」とは、光が送信器で出力されてから受信器で受光されるまでに許容できる伝送路損失の見積もりという意味である。
【０００３】
一般的にシステムに多値／高次変調方式を適用する目的は、信号のビットレートに対して受信器や送信器および関連する信号処理部の動作周波数を低く抑えることである。上位ネットワーク（ＮＷ）と接続する伝送リンク（上位リンク）からＢ１［ｂｉｔ／ｓ］のビットレートで送られる下り信号をアクセスリンクにおいてＢ２［ｂｉｔ／ｓｙｍｂｏｌ］の多値／高次信号に変調すると、上位リンクからの信号の信号処理部は一般的にＢ１［Ｈｚ］程度の動作周波数が必要となるのに対し、アクセスリンクにおける信号の送受信部の動作周波数は１／Ｂ２にあたるＢ１／Ｂ２［Ｈｚ］程度に抑えることができる。
【０００４】
階層符号化形式を適用した多値／高次変調ＰＯＮシステムにおける、局側装置（ＯＬＴ：Ｏｐｔｉｃａｌ  Ｌｉｎｅ  Ｔｅｒｍｉｎａｌ）の上位リンク（Ｂ１［ｂｉｔ／ｓ］）とアクセス下り信号送信器（Ｂ２［ｂｉｔ／ｓｙｍｂｏｌ］）の境界部の例を図２に示す。ただし、本発明と無関係な部分は省略している。階層符号化処理部５０はフレーム読み込み部５１、ビット位置決定部５２、アドレス−ビット位置対応表５３、バッファサイズ監視／計算部５４を備えている。バッファ６０の出口は、アクセスリンクの送受信器の構成により異なるが、符号化部（ビットマッピング部）や変調器などに接続している。多値／高次変調において、このバッファ６０のｎ個の出口から同時に出るｎビットのビット列がひとつのシンボルとして送信される。ここではＢ２［ｂｉｔ／ｓｙｍｂｏｌ］の符号方式であるので、ｎ＝Ｂ２である。バッファから先の動作周波数はＢ１／Ｂ２［Ｈｚ］程度である。
【０００５】
階層符号化処理部５０はビットレートがＢ１［ｂｉｔ／ｓ］の上位リンクからフレームを受け取り、フレーム読み込み部５１がフレームヘッダから宛先アドレス情報を取得する。ビット位置決定部５２は宛先アドレス情報、アドレス−ビット位置対応表５３、バッファサイズ監視／計算部５４からの情報をもとにフレームを振り分けるバッファ（６０−１〜６０−ｎ）や廃棄の判断をし、フレームはその決定に基づき振り分けられるか、廃棄される。図２に信号のやりとりを矢印で示しているが、機能ブロックや信号のやりとりはこの例に限らず、例えばアドレス−ビット位置対応表が存在せず、ヘッダの一部に直接振り分け可能なビット位置を書き込めるようなフレーム構造としているなど、上記のような所望の動作ができる構造であればよい。
【０００６】
振り分けるバッファや廃棄の決定アルゴリズムのフローチャートとして、次の条件で説明する。
（条件）
・ｎ＝２
・ビット１、２ともに送信可能なフレーム（ビット位置候補が１と２）と、ビット１のみで送信可能なフレーム（ビット位置候補が１のみ）とが存在し、それらに対応する宛先アドレスの数は同数である。
【０００７】
上記条件下において、特に公平性等を意識した制御を行わず、フレームの到着順に処理を行う場合の例を図３に示す。まず階層符号化処理部にフレームが到着するタイミングで振り分け処理が行われる。階層符号化処理部はヘッダ内の宛先情報とアドレス−ビット位置対応表（例を図４に示す。）を照会し、そのフレームを振り分け可能なビット位置の候補を確認する。
【０００８】
ビット位置の候補が１つしかない場合（本例での、ビット（１）のみに振り分け可能な場合）には、ビット（１）用バッファ内に処理中のフレーム長だけの余裕があるかをバッファサイズ監視／計算部により確認し、余裕があればフレームをビット（１）用バッファに振り分ける。ここでの余裕があるかという判断は、そのとき振り分けようとしているフレーム長の分だけ余りがあるかという判断を指す。余裕がない場合には、フレームは廃棄となる。
【０００９】
ビット位置の候補が複数ある場合（本例での、ビット（１、２）に振り分け可能な場合）には、ビット位置を任意に選択する。このポリシーをもとに処理をすると、フレームがビット（１、２）に振り分け可能であれば、まずビット１／２用バッファ内のフレーム量を確認し、余裕があれば振り分け、ビット１／２用バッファに余裕がない場合にはビット２／１用バッファ内のフレーム量を確認し、余裕があれば振り分け、ビット２／１用バッファ内にも余裕がない場合には、フレームは廃棄というフローになる。
【００１０】
ｎ＞２の場合にも、
（１）ビット位置の候補が１つの場合には、そのバッファ量に余裕があれば、振り分け、なければ廃棄する。
（２）ビット位置の候補が複数ある場合には、任意のビット位置を順に選択し、バッファ量に応じて振り分ける。
というルールに基づいてフレームを振り分ける。
【先行技術文献】
【非特許文献】
【００１１】
【非特許文献１】Ｍ．  Ｍｏｒｉｍｏｔｏ，  “Ｊｏｉｎｔ  Ｏｎ−Ｂｏａｒｄ  Ｒｅｓｏｕｒｃｅ  Ｓｈａｒｉｎｇ  ａｎｄ  Ｈｉｅｒａｒｃｈｉｃａｌ  Ｍｏｄｕｌａｔｉｏｎ  Ｓｃｈｅｍｅ  ｆｏｒ  Ｓａｔｅｌｌｉｔｅ  Ｃｏｍｍｕｎｉｃａｔｉｏｎ”，  ＩＥＥＥ  Ｇｌｏｂａｌ  Ｔｅｌｅｃｏｍｍｕｎｉｃａｔｉｏｎ  Ｃｏｎｆｅｒｅｎｃｅ，  １９９５
【発明の概要】
【発明が解決しようとする課題】
【００１２】
本システムを流れる、あるフレームに着目すると、フレームは動作周波数がＢ１程度の信号処理部からＢ１／Ｂ２（＜Ｂ１）［Ｈｚ］程度のバッファに送られることとなり、動作周波数が大きい処理部から小さい処理部へ流れていることとなる。設計の際にはすべてのフレームが均等にすべてのバッファに割り振られることを想定して設計を行うため、バッファのサイズをある程度の大きさとし、十分に長い時間で平均して見たときにはフレームが動作周波数がＢ１程度の信号処理部からＢ１／Ｂ２（＜Ｂ１）［Ｈｚ］程度のバッファＢ２個に振り分けられることになるので、全体の処理速度は変化していないように見える。しかし、リンクの使用率がある程度大きい状態において、ある短い時間内に特定のフレームが集中した結果、特定のバッファにのみ割り振られるフレームが集中し、廃棄率が高くなる状況が存在し得る。これにより、１つのＰＯＮシステムにおいてスプリッタ配下の加入者側装置（ＯＮＵ：Ｏｐｔｉｃａｌ  Ｎｅｔｗｏｒｋ  Ｕｎｉｔ）間でのフレームの廃棄率に差が生じる可能性がある。これは、ＯＮＵ間での使用可能帯域に不公平が生じている状態であるといえる。また、フレームの廃棄率に差が生じることを防ごうとすると充分に大きいバッファサイズが必要となり、遅延や消費電力の増大につながる。すなわち、従来の階層符号化形式を適用した多値／高次変調ＰＯＮシステムでは、リンクの使用率がある程度大きく、バッファサイズが有限な状態において、ＯＮＵ間での使用可能帯域に不公平が生じることがあるという課題があった。
【００１３】
そこで、上記課題を解決すべく、本発明は、階層符号化形式を適用した多値／高次変調ＰＯＮシステムにおいて、リンクの使用率がある程度大きい状態においてもＯＮＵ間での使用可能帯域の公平を保つことができる、あるいは同じ廃棄率に対してバッファサイズを削減することができる下り通信伝送帯域割り当て方法を提供することを目的とする。
【課題を解決するための手段】
【００１４】
そこで、前記課題を解決するために、本発明は、多値／高次変調を行う前段に待機用バッファを追加し、バッファ内の監視を行い、新しく到着したフレームを必要に応じて待機用バッファに割り当てることとした。
【００１５】
具体的には、本発明に係る下り通信伝送帯域割り当て方法は、複数のバッファから同時に出力されるビットで１シンボルを構成する階層符号化形式の多値／高次変調が適用されたＰＯＮシステムでの伝送帯域を各ＯＮＵに割り当てる下り通信伝送帯域割り当て方法であって、到着した下りフレームのヘッダ内の宛先情報から振り分け可能なビット位置の候補を確認し、前記候補のうち前記下りフレームの振り分け先としたビット位置に対応する前記バッファの残量より前記下りフレームの量が大きいときに、前記下りフレームを待機用バッファに入力することを特徴とする。
【００１６】
新しく到着したフレームを必要に応じて待機バッファに割り当てることで、輻輳時の無駄なフレーム廃棄を防止し、ＯＮＵ間での帯域割当の不公平を解消することができる。従って、本発明は、階層符号化形式を適用した多値／高次変調ＰＯＮシステムにおいて、リンクの使用率がある程度大きい状態においてもＯＮＵ間での使用可能帯域の公平を保つことができる、あるいは同じ廃棄率に対してバッファサイズを削減することができる下り通信伝送帯域割り当て方法を提供することができる。
【００１７】
本発明に係る下り通信伝送帯域割り当て方法は、前記候補が複数ある場合に、振り分け可能なフレーム数が少ないビット位置を前記振り分け先とすることができる。選択の余地があるフレームを他のビット位置に振り分けることで、特定のビット位置にフレームが集中することを回避することができる。
【００１８】
本発明に係る下り通信伝送帯域割り当て方法は、前記待機用バッファ内に下りフレームが存在するときに、到着した下りフレームと前記待機用バッファ内の下りフレームとの間で前記候補の数を比較し、前記候補の数が少ない下りフレームを他より優先させて振り分け先とした前記バッファに入力することができる。
【００１９】
階層符号化処理部における振り分けアルゴリズムに、ビット位置の候補が少ないフレームが振り分け可能なビット位置に対して、ビット位置の候補が少ないフレームをビット位置の候補が多いフレームよりも優先的に振り分ける制御を加える。本制御で特定のバッファにのみフレームが割り振られることを回避でき、結果としてフレーム廃棄率を低下することができる。
【００２０】
従って、本発明は、階層符号化形式を適用した多値／高次変調ＰＯＮシステムにおいて、リンクの使用率がある程度大きい状態においてもＯＮＵ間での使用可能帯域の公平を保つことができる、あるいは同じ廃棄率に対してバッファサイズを削減することができる下り通信伝送帯域割り当て方法を提供することができる。
【００２１】
本発明に係る下り通信伝送帯域割り当て方法は、前記待機用バッファ内に下りフレームが存在するときに、到着した下りフレームと前記待機用バッファ内の下りフレームとの間で前記候補の数を比較し、前記候補の数が同じであれば、前記待機用バッファ内の下りフレームを到着した下りフレームより優先させて振り分け先とした前記バッファに入力することができる。フレームが待機用バッファ内に長時間停滞することを避けることができる。
【００２２】
本発明に係る下り通信伝送帯域割り当て方法は、前記候補が複数ある場合に、他より優先させて振り分ける前記下りフレームの量が振り分け先とした前記バッファの残量より多いとき、前記下りフレームを、振り分け先とした前記バッファと異なる他の前記バッファに入力する、前記待機用バッファに入力する、又は廃棄することができる。フレームが特定のバッファに集中することを回避することができる。
【発明の効果】
【００２３】
本発明は、階層符号化形式を適用した多値／高次変調ＰＯＮシステムにおいて、リンクの使用率がある程度大きい状態においてもＯＮＵ間での使用可能帯域の公平を保つことができる、あるいは同じ廃棄率に対してバッファサイズを削減することができる下り通信伝送帯域割り当て方法を提供することができる。
【図面の簡単な説明】
【００２４】
【図１】ＰＯＮシステムを説明する図である。
【図２】ＯＬＴが有する階層符号化処理部を説明する図である。
【図３】図２の階層符号化処理部が行うフレーム振り分け処理を説明する図である。
【図４】フレームのヘッダ内にある宛先情報とビット位置を定めた対応表を説明する図である。
【図５】本発明に係る下り通信伝送帯域割り当て方法を行うＯＬＴの階層符号化処理部を説明する図である。
【図６】本発明に係る下り通信伝送帯域割り当て方法を説明する図である。
【図７】本発明に係る下り通信伝送帯域割り当て方法を説明する図である。
【図８】本発明に係る下り通信伝送帯域割り当て方法を説明する図である。
【図９】本発明に係る下り通信伝送帯域割り当て方法を説明する図である。
【図１０】本発明に係る下り通信伝送帯域割り当て方法を説明する図である。
【図１１】本発明に係る下り通信伝送帯域割り当て方法を説明する図である。
【図１２】本発明に係る下り通信伝送帯域割り当て方法を説明する図である。
【図１３】本発明に係る下り通信伝送帯域割り当て方法を説明する図である。
【図１４】本発明に係る下り通信伝送帯域割り当て方法を説明する図である。
【発明を実施するための形態】
【００２５】
（実施形態の構成）
図５は、本実施形態の階層符号化処理部５０’を説明する図である。階層符号化処理部５０’は、複数のバッファ６０から同時に出力されるビットで１シンボルを構成する階層符号化形式の多値／高次変調が適用されたＰＯＮシステムでの伝送帯域を各ＯＮＵ２０に割り当てる伝送帯域割り当て方法を実施する。例えば、階層符号化処理部５０’は図１のＯＬＴ１０にあり、ＯＬＴ１０の上位リンク（Ｂ１［ｂｉｔ／ｓ］）とアクセス下り信号送信器（Ｂ２［ｂｉｔ／ｓｙｍｂｏｌ］）の境界部分に配置される。
【００２６】
階層符号化処理部５０’は図２の階層符号化処理部５０に対し、待機用バッファ５５を追加している。図６〜図１４は、本実施形態の伝送帯域割り当て方法のフローチャートである。図６及び図７がメインのフローチャートであり、図８〜図１４が内部の定義済み処理のフローチャートである。本実施形態の伝送帯域割り当て方法と図３のフローチャートとの相違点は、図２の階層符号化処理部５０に新たに搭載された待機用バッファ５５を利用し、振り分けられるビット位置の候補が多いフレームより、振り分けられるビット位置の候補が少ないフレームを優先的に振り分けるための制御が加えられている点である。
【００２７】
（実施形態の動作）
本実施形態の伝送帯域割り当て方法のフローにおいては、フレームが到着したタイミング（ステップＳ１０１）か、待機バッファ５５内フレーム処理の条件が満たされたタイミング（ステップＳ１０２）で振り分け処理が行われる。ここで待機バッファ５５内フレーム処理の条件とは、例えばフレームが待機用バッファ５５に入った時間からの経過時間Ｔｗａｉｔがある閾値Ｔｗａｉｔ＿ｍａｘを超えるという場合などが考えられる。以下の説明において、ＯＬＴ１０に到着したばかりのフレームを新フレーム、待機用バッファ５５に入っているフレームを旧フレームと呼ぶ。
【００２８】
「ビット（１）用バッファに対してビット（１、２）に振り分け可能なフレームよりもビット（１）のみに振り分け可能なフレームを優先する」という目的に対しては、待機用バッファ５５は２通りの役割を担うことができる。
【００２９】
１つは、ビット（１）のみに振り分け可能なフレームを振り分ける際にビット（１）用バッファ６０−１に余裕がなかった場合に、バッファサイズに余裕ができるまで待機させ、廃棄の判断までに猶予を設ける役割である。これは図９に示すビット（１）のみ処理［２］に相当する。
【００３０】
２つめは、ビット（１、２）に振り分け可能なフレームを振り分ける際にビット（２）用バッファ６０−２に余裕がなかった場合に、次に到着するビット（１）のみに振り分け可能なフレームを先に処理できるよう待機させる役割である。これは図１１に示すビット（１、２）処理［２］に相当する。
【００３１】
具体的には、フレーム読み込み部５１、ビット位置決定部５２、アドレス−ビット位置対応表５３、バッファサイズ監視／計算部５４が、到着した下りフレームのヘッダ内の宛先情報から振り分け可能なビット位置の候補を確認し（ステップＳ１０６）、前記候補のうち前記下りフレームの振り分け先としたビット位置に対応するバッファ６０の残量より下りフレームの量が大きいときに、下りフレームを待機用バッファ５５に入力する（ステップＳ２１１、Ｓ２１４）。
【００３２】
なお、ここでは、前記候補が複数ある場合に、振り分け可能なフレーム数が少ないビット位置を前記振り分け先とする。例えば、ビット（１、２）に振り分け可能なフレームとビット（１）のみに振り分け可能なフレームとが存在する場合、ビット（１）に振り分け可能なフレームは「ビット（１）に振り分け可能なフレーム」及び「ビット（１、２）に振り分け可能なフレーム」であることに対し、ビット（２）に振り分け可能なフレームは「ビット（１、２）に振り分け可能なフレーム」だけであるので、「振り分け可能なフレーム数が少ないビット位置」とはビット（２）となる。すなわち、「ビット（１、２）に振り分け可能なフレーム」はなるべくビット（２）に入力するように振り分けられる。
【００３３】
さらに、振り分けられるビット位置の候補が多いフレームより、振り分けられるビット位置の候補が少ないフレームを優先的に振り分けるため、以下の動作を行う。フレーム読み込み部５１、ビット位置決定部５２、アドレス−ビット位置対応表５３、バッファサイズ監視／計算部５４は、待機用バッファ５５内に下りフレーム（旧フレーム）が存在するとき（ステップＳ１０７で“Ｙｅｓ”）に、到着した下りフレーム（新フレーム）と旧フレームとの間で前記候補の数を比較し、前記候補の数が少ない下りフレームを他より優先させて振り分け先としたバッファ６０に入力する。
【００３４】
例えば、旧フレームの候補がビット（１）、新フレームの候補がビット（１、２）である場合、ステップＳ１１１、Ｓ１１２、Ｓ１１３、Ｓ１１５を行う。一方、旧フレームの候補がビット（１、２）、新フレームの候補がビット（１）である場合、ステップＳ１１１、Ｓ１１６、Ｓ１１７を行う。
【００３５】
また、旧フレームと新フレームの候補数が同じであれば、旧フレームを優先させる。フレーム読み込み部５１、ビット位置決定部５２、アドレス−ビット位置対応表５３、バッファサイズ監視／計算部５４は、待機用バッファ５５内に下りフレーム（旧フレーム）が存在するとき（ステップＳ１０７で“Ｙｅｓ”）に、到着した下りフレーム（新フレーム）と旧フレームとの間で前記候補の数を比較し、前記候補の数が同じであれば、旧フレームを新フレームより優先させて振り分け先としたバッファ６０に入力する。
【００３６】
例えば、旧フレームの候補がビット（１）、新フレームの候補がビット（１）である場合、ステップＳ１１１、Ｓ１１２、Ｓ１１３、Ｓ１１４を行う。一方、旧フレームの候補がビット（１、２）、新フレームの候補がビット（１、２）である場合、ステップＳ１１１、Ｓ１１６、Ｓ１１８、Ｓ１１９を行う。
【００３７】
なお、フレームを振り分け先として決定したバッファ６０に入力しようとしたときに、バッファ６０の残量が少なくフレームを受け入れることができないとき、以下の（ｉ）（ｉｉ）（ｉｉｉ）のいずれかのように動作する。
（ｉ）他のビット位置へ振り分け可能であれば、当該フレームを当該ビット位置のバッファ６０に入力する（ステップＳ２２１、Ｓ２２３、Ｓ２２４）。
（ｉｉ）当該フレームを待機用バッファ５５に入力する（ステップＳ２２１、Ｓ２２３、Ｓ２２６）。
（ｉｉｉ）当該フレームを廃棄する（ステップＳ２２１、Ｓ２２３、Ｓ２２５）。
【００３８】
図６及び図７のフロー内では、定義済み処理の候補が複数存在する場合があり（［１］ｏｒ［２］等の記載がされている定義済み処理（ステップＳ１０９、Ｓ１１０、Ｓ１１５、Ｓ１１９））、待機用バッファ５５を上記の２つの役割のうちどちらに用いるか、あるいは併用するかを選択することができる。
【００３９】
図６及び図７の中で、選択できる定義済み処理のうち、処理［１］のみを選択していくと、待機用バッファ５５を用いない従来手法と同じ処理となり、もっとも処理が軽い。一方で処理［２］のみを選択していくと、公平性はもっとも高いが、処理［１］と併用した場合に比べて重くなる。図１２に示すビット（１、２）処理［３］は、待機用バッファ５５をより有効活用したい場合に用いるが、公平性は処理［２］のみを選択した場合に比べ低くなる。すなわち、公平性と処理の重さとのバランスを考慮していずれの処理を選択するかを決定することができる。例えば、当該選択を予め階層符号化処理部５０’に設定しておくこともできる。また、階層符号化処理部５０’が自動的に処理［１］、［２］、［３］を選択してもよい。上位リンクからの下りフレーム量が設定された伝送帯域の８０％未満のときに公平性を高めるように処理を選択し、８０％を越えたときに負荷を軽くする処理を選択するようにしてもよい。
【００４０】
（本実施形態の効果）
本例においては、ビット（１）用バッファに対しては、ビット（１）のみに振り分け可能なフレームをビット（１、２）に振り分け可能なフレームよりも優先して振り分けることが可能となる。これを本例以外の条件に拡張すると、ビット位置候補が少ないフレームの振り分け可能なビット位置に対しては、ビット位置候補が少ないフレームが多いフレームよりも優先的に振り分けられることとなる。これにより、本発明の課題で述べた「リンクの使用率がある程度大きい状態において、ある短い時間内に特定のフレームが集中した結果、特定のバッファにのみ割り振られるフレームが集中し、廃棄率が高くなる状況」でのバッファ間でのフレーム廃棄率の差が緩和され、該当ＰＯＮシステムにおけるスプリッタ配下のＯＮＵ間の使用帯域の公平性が改善される。
【００４１】
以下は、図５の階層符号化処理部及び図６〜図１４の伝送帯域割り当て方法を説明したものである。
（１）
１つの送信器と、光パワースプリッタを介して接続される複数の受信器と、前記送信器と前記受信器とを接続する伝送路と、を備え、多値／高次変調方式を採用し、
前記送信器は、階層符号化処理部と、ビット位置決定部と、アドレス−ビット位置対応表と、バッファサイズ監視／計算部と、バッファＮと、待機用バッファを備え、
前記バッファＮに対し、フレームが集中し、廃棄率が高い状態において、前記待機用バッファの利用方法に関するフレーム処理方法であって、
前記待機バッファ内のフレーム処理を行うステップと、旧フレームの振り分け可能ビット位置により処理を選択するビット選択ステップからなるフレーム処理方法。
【００４２】
（２）
（１）のフレーム処理方法のビット選択ステップは、
ビット１用バッファ内のフレーム量に余裕があるかを判断するフレーム量判断ステップと、
前記フレーム量判断ステップにおいて余裕がない場合にフレーム廃棄を行うステップと、
前記フレーム量判断ステップにおいて余裕がある場合にフレームをビット１用バッファに割り当てるステップからなる。
【００４３】
（３）
（１）のフレーム処理方法のビット選択ステップは、
ビット１用バッファ内のフレーム量に余裕があるかを判断するフレーム量判断ステップと、
前記フレーム量判断ステップにおいて余裕がない場合にフレームを待機用バッファへ割り当てるステップと、
前記フレーム量判断ステップにおいて余裕がある場合にフレームをビット１用バッファに割り当てるステップからなる。
【００４４】
（４）
（１）のフレーム処理方法のビット選択ステップは、
ビット２用バッファ内のフレーム量に余裕があるかを判断するフレーム量判断ステップと、
前記フレーム量判断ステップにおいて余裕がある場合にフレームをビット２用バッファに割り当てるステップと、
前記フレーム量判断ステップにおいて余裕がない場合に、前記ビット１用バッファに割り当てるステップと、からなる。
【００４５】
（５）
（１）のフレーム処理方法のビット選択ステップは、
ビット２用バッファ内のフレーム量に余裕があるかを判断するフレーム量判断ステップと、
前記フレーム量判断ステップにおいて余裕がある場合にフレームをビット２用バッファに割り当てるステップと、
前記フレーム量判断ステップにおいて余裕がない場合に、フレームを待機用バッファへ割り当てるステップと、からなる。
【符号の説明】
【００４６】
１０：局側装置（ＯＬＴ）
２０：加入者側装置（ＯＮＵ）
３０：光パワースプリッタ
５０、５０’：階層符号化処理部
５１：フレーム読み込み部
５２：ビット位置決定部
５３：アドレス−ビット位置対応表
５４：バッファサイズ監視／計算部
５５：待機用バッファ
６０、６０−１、６０−２、・・・、６０−ｎ：バッファ
【図１】
0005697212.tif 000002
【図２】
0005697212.tif 000003
【図３】
0005697212.tif 000004
【図４】
0005697212.tif 000005
【図５】
0005697212.tif 000006
【図６】
0005697212.tif 000007
【図７】
0005697212.tif 000008
【図８】
0005697212.tif 000009
【図９】
0005697212.tif 000010
【図１０】
0005697212.tif 000011
【図１１】
0005697212.tif 000012
【図１２】
0005697212.tif 000013
【図１３】
0005697212.tif 000014
【図１４】
0005697212.tif 000015